(57)【要約】【課題】冷温水同時供給熱源機を含む複数の熱源機を供給源とする冷温水供給システムの運転制御技術を提供する。【課題手段】冷温水同時供給熱源機と、冷水熱源機と、温水熱源機と、を備え、各熱源機で作られる冷水又は温水をそれぞれ合流させて、負荷側に分配供給する冷温水供給システムにおいて、１以上の冷水熱源機又は温水熱源機の少なくともいずれか一方の熱源機が運転中の場合には、冷温水同時供給熱源機について、冷水又は温水のいずれか一方の負荷を充足するように運転するとともに、当該運転中熱源機について、不足する他方の負荷を補完するように運転する。【選択図】図２
2014185814.tif 000002
【特許請求の範囲】
【請求項１】
いずれも１以上の冷温水同時供給熱源機と、冷水熱源機と、温水熱源機と、を備え、
各熱源機で作られる冷水又は温水をそれぞれ合流させて、負荷側に分配供給する冷温水供給システムにおいて、
１以上の冷水熱源機又は温水熱源機の少なくともいずれか一方の熱源機が運転中の場合には、
冷温水同時供給熱源機について、冷水又は温水のいずれか一方の負荷を充足するように運転するとともに、
当該運転中熱源機（以下、安定化熱源機という）について  、不足する他方の負荷を補完するように運転する、
ことを特徴とする冷温水供給システムの運転制御方法。
【請求項２】
前記他方の負荷の補完を、合流部における温水又は冷水の温度を所定の供給温度範囲に維持するように、前記安定化熱源機の出口温度を制御することにより行う、
ことを特徴とする請求項１に記載の冷温水供給システムの運転制御方法。
【請求項３】
前記安定化熱源機が冷水熱源機である場合において、各冷水熱源機について所定の時間間隔で、
前回の合流部冷水温度（Tcs(ｒ-1)）（ｒ：繰り返し回数）と、各熱源機の冷水出口設定温度（CT(ｒ-1)）と、に対応して定まる前回冷水状態（Ｓｍ(ｒ-1)：ｍ＝１〜４）、及び、
今回の合流部冷水温度（Tcs(r)）
に基づいて、今回の各熱源機の冷水出口設定温度（CT(r)）を定めることを繰り返し行うことにより、
合流部冷水温度（Tcs）を目標とする冷水温度範囲に制御する、ことを特徴とする請求項１又は２に記載の冷温水供給システムの運転制御方法。
【請求項４】
前記安定化熱源機が温水熱源機である場合において、各温水熱源機について所定の時間間隔で、
前回の合流部温水温度（Ths(ｒ-1)）（ｒ：繰り返し回数）と、各熱源機の温水出口設定温度（HT(ｒ-1)）と、に対応して定まる前回温水状態（Ｓｍ(ｒ-1)：ｍ＝５〜８）、及び、
今回の合流部温水温度（Ths(r)）
に基づいて、今回の各熱源機の温水出口設定温度（HT(r)）を定めることを繰り返し行うことにより、
合流部温水温度（Ths）を目標とする温水温度範囲に制御する、ことを特徴とする請求項１又は２に記載の冷温水供給システムの運転制御方法。
【発明の詳細な説明】
【技術分野】
【０００１】
本発明は、冷温水同時供給熱源機を含む複数の熱源機を供給源とする冷温水供給システムの運転制御技術に関する。
【背景技術】
【０００２】
従来、冷水及び温水を同時供給可能なヒートポンプ熱源機（例えば吸収冷温水機）を用いた冷温水同時供給システムが公知である。冷温水同時供給熱源機は冷房運転に伴う排熱を暖房用に利用できるため熱効率が高く、省エネ性に優れるという特徴を有する。
しかしながら、このような熱源機を単独使用して、冷房負荷又は給湯・暖房負荷の一方の負荷に合わせて出口温度制御を行うと、他方の出口温度が成り行きとなり、冷温水温度管理が厳しい建物等への導入が難しいという問題がある。
この場合、複数台の冷温水同時供給熱源機を用いても、通常の台数制御では各熱源機の出口温度が区々となり、集約後の冷水又は温水温度を設定値に維持することは困難である。
【０００３】
上記問題に対応するため、連結した複数台の冷温水同時供給熱源機（例えば吸収冷温水機）のうちの１台に、他の熱源機の発停及び設定出口温度制御を委ねる技術が開示されている（例えば特許文献１）。具体的には、負荷が大きい場合には全ての熱源機について標準出口温度（例えば７℃）となるように設定する。また、負荷が小さく一部の熱源機が停止する状態下では、運転中熱源機の出口温度を標準出口温度より低い温度（例えば６℃）に設定し、合流部において標準出口温度に合わせるように制御するものである。
【先行技術文献】
【特許文献】
【０００４】
【特許文献１】特開２００１−２２１５４１号公報
【発明の開示】
【発明が解決しようとする課題】
【０００５】
文献１の技術によれば、合流部の冷水又は温水温度を設定値に調整することは可能となるが、冷水及び温水について合流部温度をともに標準出口温度に調整する技術に関しては開示がない。
本発明はこのような課題を解決すべく、冷水及び温水の合流部温度をともに設定値（標準出口温度）に調整可能とする冷温水供給システムの運転制御技術を提供することを目的とする。
【課題を解決するための手段】
【０００６】
本発明は以下の内容を要旨とする。すなわち、本願発明に係る冷温水供給システムの運転制御方法は、
（１）いずれも１以上の冷温水同時供給熱源機と、冷水熱源機と、温水熱源機と、を備え、
各熱源機で作られる冷水又は温水をそれぞれ合流させて、負荷側に分配供給する冷温水供給システムにおいて、
１以上の冷水熱源機又は温水熱源機の少なくともいずれか一方の熱源機が運転中の場合には、
冷温水同時供給熱源機について、冷水又は温水のいずれか一方の負荷を充足するように運転するとともに、
当該運転中熱源機（以下、安定化熱源機という）について、不足する他方の負荷を補完するように運転する、ことを特徴とする。
【０００７】
（２）上記（１）の発明において、前記他方の負荷の補完を、合流部における温水又は冷水の温度を所定の供給温度範囲に維持するように、前記安定化熱源機の出口温度を制御することにより行う、ことを特徴とする。
【０００８】
（３）上記（１）、（２）の発明において、前記安定化熱源機が冷水熱源機である場合において、各冷水熱源機について所定の時間間隔で、
前回の合流部冷水温度（Tcs(ｒ-1)）（ｒ：繰り返し回数）と、各熱源機の冷水出口設定温度（CT(ｒ-1)）、に対応して定まる前回冷水状態（Ｓｍ(ｒ-1)：ｍ＝１〜４）、及び、
今回の合流部冷水温度（Tcs(r)）
に基づいて、今回の各熱源機の冷水出口設定温度（CT(r)）を定めることを繰り返し行うことにより、合流部冷水温度（Tcs）を目標とする冷水温度範囲に制御する、ことを特徴とする。  
【０００９】
（４）上記（１）、（２）の発明において、前記安定化熱源機が温水熱源機である場合において、各温水熱源機について所定の時間間隔で、
前回の合流部温水温度（Ths(ｒ-1)）（ｒ：繰り返し回数）と、各熱源機の温水出口設定温度（HT(ｒ-1)）の標準温度（HTs)からの偏差と、に対応して定まる前回温水状態（Ｓｍ(ｒ-1)：ｍ＝５〜８）、及び、
今回の合流部温水温度（Ths(r)）
に基づいて、今回の各熱源機の温水出口設定温度（HT(r)）を定めることを繰り返し行うことにより、
合流部温水温度（Ths）を目標とする温水温度範囲に制御する、ことを特徴とする。
【発明の効果】
【００１０】
本発明によれば、冷温水同時供給熱源機から供給される冷水又は温水の温度が成り行きとなっても、合流部における冷水又は温水ヘッダーの温度を目標値に近づけるように、安定化熱源機の出口設定温度を制御することにより、空調対象の建物等に安定した温度の冷温水の供給が可能となる。これにより、冷温水温度管理が厳しい建物等に対しても、省エネ性に優れる冷温水同時供給熱源機の導入が可能となる。
また、電動の冷温水同時供給熱源機を用いたシステムでは、蓄熱槽を用いて冷水温度の確保を実現しているが、放熱ロスがあり省エネの観点では望ましくない場合もある。
本発明によれば、リアルタイムに他の熱源機を活用して冷温水温度を確保することができるため、供給温度を安定的に確保しつつ、高い省エネ性を実現できるという効果がある。
【図面の簡単な説明】
【００１１】
【図１】本発明の一実施形態に係る冷温水供給システム１の全体構成を示す図である。
【図２】冷温水供給システム１の運転制御フローを示す図である。
【図３】冷温水同時供給熱源機２の温水主モード運転時における冷水熱源機３による冷水温度安定化制御フローを示す図である。
【図４（ａ）】冷水出口設定温度の設定フロー（その１）を示す図である。
【図４（ｂ）】冷水出口設定温度の設定フロー（その２）を示す図である。
【図４（ｃ）】冷水出口設定温度の設定フロー（その３）を示す図である。
【図４（ｄ）】冷水出口設定温度の設定フロー（その４）を示す図である。
【図４（ｅ）】冷水出口設定温度の設定フロー（その５）を示す図である。
【図５（ａ）】前回冷水状態Sm(r-1)、及び、今回冷水往ヘッダー温度（Tcs）と目標温度（Tt）からの乖離温度と、出口設定温度(CT_j)の関係を示す図(テーブルＡ)である。
【図５（ｂ）】冷水往ヘッダー温度（Tcs）状態に対応する安定化熱源機の出口設定温度(CT_j)の制御態様を示す図である。
【図６】冷温水同時供給熱源機２の冷水主モード運転時における温水熱源機４による温水温度安定化制御フローを示す図である。
【図７（ａ）】温水出口設定温度の設定フロー（その１）を示す図である。
【図７（ｂ）】温水出口設定温度の設定フロー（その２）を示す図である。
【図７（ｃ）】温水出口設定温度の設定フロー（その３）を示す図である。
【図７（ｄ）】温水出口設定温度の設定フロー（その４）を示す図である。
【図７（ｅ）】温水出口設定温度の設定フロー（その５）を示す図である。
【図８（ａ）】前回温水状態Sm(r-1)、及び、今回温水往ヘッダー温度（Ths）と目標温度（Tt'）からの乖離温度と、出口設定温度(HT_k)の関係を示す図(テーブルＢ)である。
【図８（ｂ）】温水往ヘッダー温度（Ths）状態に対応する安定化熱源機の出口設定温度(HT_k)の制御態様を示す図である。
【発明を実施するための形態】
【００１２】
以下、本発明の一実施形態についてさらに詳細に説明する。なお、本発明の範囲は特許請求の範囲記載のものであって、以下の実施形態に限定されないことはいうまでもない。
図１を参照して、本実施形態に係る冷温水供給システム１は、冷水・温水を製造して負荷側に供給する熱源機系統１Ａと、熱源機系統１Ａで作られた冷水・温水を消費する負荷系統１Ｂと、熱源機系統１Ａに属する各熱源機２，３，４で作られた冷水・温水を集約して負荷系統１Ｂに分配供給し、また、負荷系統１Ｂからの還水を集約して熱源機系統１Ａに還流させる供給系統１Ｃと、システム全体の制御を行う制御系統１Ｄと、により構成されている。
【００１３】
＜システム構成＞
熱源機系統１Ａは、いずれも１台以上の冷温水同時供給熱源機２（例えば吸収冷温水機：以下、冷温水熱源機２、又は、熱源機２と略記する場合がある）と、冷水熱源機（例えば電動チラー）３と、温水熱源機（例えば温水ボイラー）４と、により構成されている。
【００１４】
負荷系統１Ｂは、例えば地域熱供給、業務用、産業用等の複数の需要家群（需要家９(１)〜９(ｎ)）により構成されている。
供給系統１Ｃは、各熱源機で製造された冷水又は温水を集約して各需要家に分配する往水側冷水ヘッダー５、温水ヘッダー７と、各需要家からの還水を集約して各熱源機に還流させる還水側冷水ヘッダー６、温水ヘッダー８と、各熱源機と各ヘッダーとを結ぶ一次側配管群と、各需要家と各ヘッダーとを結ぶ二次側配管群と、により構成されている。
【００１５】
往水側冷水ヘッダー５、温水ヘッダー７には、ヘッダー内の冷水温度Tcs又は温水温度Ths を計測する温度計１３、１４が、それぞれ配設されている。
需要家９(１)〜９(ｎ)と還水側冷水ヘッダー６を結ぶ還水配管６ａ(１)〜６ａ(ｎ)には、それぞれ流量計Ｆｃ(ｉ)（ｉ＝１〜ｎ)が介装されている。また、需要家９(１)〜９(ｎ)と還水側温水ヘッダー８を結ぶ還水配管８ａ(１)〜８ａ(ｎ)には、それぞれ流量計Ｆｈ(ｉ)（ｉ＝１〜ｎ)が介装されている。
【００１６】
さらに、各熱源機と往水側ヘッダー５，７とを結ぶ一次側往水配管２ａ、２ｂ、３ａ、４ａには、それぞれ一次循環ポンプ１０ａ乃至１０ｄが介装されている。また、往水側ヘッダー５，７と需要家９(１)〜９(ｎ)とを結ぶ二次側往水配管５ａ(１)〜５ａ(ｎ)、及び７ａ(１)〜７ａ(ｎ)には、それぞれ二次循環ポンプ１１(ｉ)、１２(ｉ)が介装されている。
【００１７】
冷温水供給システム１の制御系統１Ｄは、熱源機系統１Ａの配管経路中に配設される冷水流量計Ｆｃ(ｉ)及び温水流量計Ｆｈ(ｉ)、ヘッダー温度計１３，１４と、これら各流量計及び温度計の計測値に基づいて、熱源機系統１Ａ側に以下の運転指令を行う統合制御装置１５と、により構成されている。
【００１８】
＜基本制御フロー＞
冷温水供給システム１は以上のように構成されており、次に図２を参照して統合制御装置１５が行う冷温水供給温度の安定化制御の態様について説明する。
制御中は冷水熱源機３、温水熱源機４の運転状況の確認が行われる（Ｓ１０１）。具体的には、まずいずれかの冷水熱源機３が運転中か否かが判定される（Ｓ１０２）。
冷水熱源機３が運転中の場合には（Ｓ１０２においてＹ）、さらにいずれかの温水熱源機４が運転中か否かが判定される（Ｓ１０３）。
【００１９】
両熱源機がともに運転中である場合には（Ｓ１０３においてＹ）、冷温水熱源機２が供給する冷水又は温水のいずれか一方の出口温度が成り行きになっても、冷水熱源機３又は温水熱源機４により補完可能であるため、冷温水熱源機２は現在の運転モードを継続する（Ｓ１０４）。
ただし、冷温水供給温度の安定化制御の開始時（運転制御フローの第1サイクル目：Ｚ＝１（Ｓ１００））は、ユーザーが冷温水同時供給熱源機の運転モードを指定する、または、往水側と還水側の冷水ヘッダーの温度差と冷水側流量計により演算される熱量（建物の冷房需要）、および、往水側と還水側の温水ヘッダーの温度差と温水側流量計により演算される熱量（建物の暖房需要）、とを比較し、需要の大きいほうを冷温水同時供給熱源機の運転モードとする（例えば、冷房需要が暖房需要を上回る場合には、冷温水同時供給熱源機は冷房主モードで運転される）（Ｓ１００ａ、Ｓ１００ｂ）。
Ｓ１０３においてＮ、すなわち冷水熱源機３のみ運転中の場合には、冷水熱源機３のみが安定化機として補完可能であるため、冷温水熱源機２は温水負荷を充足させるための温水主モードで運転する（Ｓ１０５）。この場合の冷水熱源機３による冷水温度安定化制御の詳細内容については後述する。
【００２０】
Ｓ１０２においてＮ、すなわち冷水熱源機３が運転停止状態の場合には、いずれかの温水熱源機４が運転中か否かが判定される（Ｓ１０６）。運転中である場合には（Ｓ１０６においてＹ）、温水熱源機４のみ安定化機として補完可能であるため、冷温水熱源機２は冷水主モードで運転する（Ｓ１０８）。この場合の温水熱源機４による温水温度安定化制御の詳細内容についても後述する。
【００２１】
Ｓ１０６においてＮ、すなわち冷水熱源機３、温水熱源機４のいずれもが運転停止状態の場合には、安定化機として補完可能な熱源機が存在しないため（Ｓ１０７）、他の手段、例えば他系統システムからの融通等を行うことになる。なお、実際にはこのような状態が発生しないように設計段階で考慮されている。
冷温水熱源機２の運転モードを更新し、所定のタイマー設定時間（ｔ１）経過後（Ｓ１０９においてＹ）、Ｚ＝Ｚ＋１（Ｓ１１０）としてＳ１０１に戻り、上記ステップを繰り返し行う。
【００２２】
＜冷水温度安定化制御＞
次に、冷温水熱源機２が温水主モードで運転している場合の、冷水熱源機３による冷水温度安定化制御の内容について説明する。
図２のＳ１０５において、冷温水熱源機２が温水主モード運転の場合には、図３のＳ２０１に移行し、統合制御装置１５は運転中の冷水熱源機３を安定化機に指定する（Ｓ２０２）。次に、制御繰り返し回数の初期値としてｒ＝１に設定する（Ｓ２０３）。以下の説明では、便宜的に制御が一定回数繰り返された状態（ｒ＝ｒ）を想定する。
【００２３】
まず、少なくとも１台の冷水熱源機３が運転中か否かが判定される（Ｓ２０４）。運転中でない場合には（Ｓ２０４においてＮ）、Ｓ２０８にスキップする。
運転中である場合には（Ｓ２０４においてＹ）、今回の冷水ヘッダー温度（請求項の合流部冷水温度に該当）（Tcs(ｒ)）が測定される（Ｓ２０５）。
次いで、後述する図４（ａ）〜４（ｅ）のフローに従い、今回の熱源機出口設定温度（CT(ｒ)）を決定する（Ｓ２０６）。
【００２４】
CT(ｒ)決定後、制御安定のためのタイマー（ｔ２：例えば０〜６０分）経過後に（Ｓ２０７においてＹ）、本制御を継続する場合は（Ｓ２０８においてＹ）、ｒ＝ｒ＋１に更新して（Ｓ２０９）、上記制御を繰り返し行う。何らかの理由により本制御を継続しない場合には（Ｓ２０８においてＮ）、本制御を終了する（Ｓ２１０）。
【００２５】
以下、熱源機出口設定温度（CT(ｒ)）の具体的決定方法について説明する。
冷水往ヘッダー温度（Tcs(ｒ)）と、各熱源機の冷水出口設定温度（CT(ｒ)）に対応して、表１の通り冷水状態（Ｓｍ(ｒ)：ｍ＝１〜４）を定義する。Ｓｍ(ｒ)は図５（ｂ）のように示される。
【００２６】
【表１】
2014185814.tif 000003
【００２７】
同表において使用する記号の内容は以下の通りである。
Tｔ：Tcsの目標温度（ユーザーが任意に設定可能）
x：Tｔからの乖離温度（0〜3℃: ユーザーが任意に設定可能）
y：Tｔからの乖離温度（0〜3℃: ユーザーが任意に設定可能）
ｚ：Tｔからの乖離温度（y〜3℃: ユーザーが任意に設定可能）
CT_j：各安定化機の出口設定温度
CTs_j：各安定化機の標準出口設定温度
（ｊは安定化機の番号。なお、各機で異なる標準出口設定温度を採用してもよい）
α：CTs_jからの下げ温度（0〜3℃: ユーザーが任意に設定可能）
β：CTs_jからの下げ温度（α〜3℃: ユーザーが任意に設定可能）
【００２８】
次に、各安定化熱源機（１〜ｊ）について、前回（ｒ−１）の冷水状態（Ｓｍ(ｒ−１)＝Ｓ１〜Ｓ４）に対応して、図４（ａ）乃至４（ｅ）の各フローに従って、今回の出口設定温度を決める。例えば図４（ａ）を参照して、前回の冷水状態がＳ１である場合には（Ｓ３０２においてＹ）、Ｓ３０１０（図４（ｂ））に移行する（Ｓ３０３）。さらに図４（ｂ）を参照して、Tcs≦Tt＋yか否かを判定する（Ｓ３０１１）。
【００２９】
Tcs≦Tt＋yの場合には（Ｓ３０１１においてＹ）、出口設定温度（CT(ｒ)）をCT_j＝CTs_jに設定する（Ｓ３０１２）。これに伴い、次回冷水状態Ｓｍ（ｒ）＝Ｓ１となる（Ｓ３０１３）。
Tcs＞Tt＋yの場合には（Ｓ３０１１においてＮ）、出口設定温度（CT(ｒ)）をCT_j＝CTs_j−αに設定する（Ｓ３０１５）。これに伴い、次回冷水状態Ｓｍ（ｒ）＝Ｓ３となる（Ｓ３０１６）。
【００３０】
前回冷水状態がＳ２乃至Ｓ４の場合についても、Ｓ１の場合と同様に図４（ｃ）乃至４（ｅ）のフローに従い今回の出口設定温度を定める。
【００３１】
以上の結果を纏めると、前回冷水状態（Sm(r-1)）、及び、今回の冷水往ヘッダー温度（Tcs(ｒ)）と目標温度（Tt）からの乖離温度との大小関係に従い、出口設定温度（CT(ｒ)）は図５（ａ）のテーブルＡの通り示される。
このような制御により、各安定化熱源機の出口設定温度と冷水往ヘッダー温度とは、時間的経過に伴い図５（ｂ）の太線の経路で制御され、目標とする冷水温度範囲に維持されることになる。
以上の制御により、冷温水同時供給熱源機から製造される成り行き温度の冷水を、他の冷水熱源機により補完することができ、システム全体として冷水供給温度の安定化が可能となる。
【００３２】
＜温水温度安定化制御＞
次に、冷温水熱源機２が冷水主モードで運転している場合の、温水熱源機４による温水温度安定化制御の内容について説明する。
図２のＳ１０８において、冷温水熱源機２が冷水主モード運転の場合には、図６のＳ４０１に移行し、統合制御盤１５は運転中の温水熱源機４を安定化機に指定する（Ｓ４０２）。次に、制御繰り返し回数の初期値としてｒ＝１に設定する（Ｓ４０３）。以下の説明では、制御が一定回数繰り返された状態（ｒ＝ｒ）を想定する。
【００３３】
まず、少なくとも１台の温水熱源機４が運転中か否かが判定される（Ｓ４０４）。運転中でない場合には（Ｓ４０４においてＮ）、Ｓ４０８にスキップする。
運転中である場合には（Ｓ４０４においてＹ）、今回の温水ヘッダー温度（請求項の合流部温水温度に該当）（Ths(ｒ)）が測定される（Ｓ４０５）。
次いで、後述する図７（ａ）〜７（ｅ）のフローに従い、今回の熱源機出口設定温度（HT(ｒ)）を決定する（Ｓ４０６）。
【００３４】
HT(ｒ)決定後、制御安定のためのタイマー（ｔ３：例えば０〜６０分）経過後に（Ｓ４０７においてＹ）、本制御を継続する場合は（Ｓ４０８においてＹ）、ｒ＝ｒ＋１に更新して（Ｓ４０９）、上記制御を繰り返し行う。何らかの理由により本制御を継続しない場合には、（Ｓ４０８においてＮ）本制御を終了する（Ｓ４１０）。
【００３５】
以下、熱源機出口設定温度（HT(ｒ)）の具体的決定方法について説明する。
温水往ヘッダー温度（Ths(ｒ)）と、各熱源機の温水出口設定温度（HT(ｒ)）に対応して、表２の通り温水状態（Ｓｍ(ｒ)：ｍ＝５〜８）を定義する。Ｓｍ(ｒ)は図８（ｂ）のように示される。
【００３６】
【表２】
2014185814.tif 000004
【００３７】
同表において使用する記号の内容は以下の通りである。
Tt'：Thsの目標温度（ユーザーが任意に設定可能）
x：Tt'からの乖離温度（0〜3℃: ユーザーが任意に設定可能）
y：Tt'からの乖離温度（0〜3℃: ユーザーが任意に設定可能）
z：Tt'からの乖離温度（ｙ〜3℃: ユーザーが任意に設定可能）
HT_k：各安定化機の出口設定温度
HTs_k：各安定化機の標準出口設定温度
（kは安定化機の番号。なお、各機で異なる標準出口設定温度を採用してもよい）
α：HTs_kからの上げ温度（0〜3℃: ユーザーが任意に設定可能）
β：HTs_kからの上げ温度（α〜3℃: ユーザーが任意に設定可能）
なお、x、y、z、α、βについては、上述の冷水温度安定化制御において用いた値と異なっていてもよい。
【００３８】
次に、各安定化熱源機（１〜ｋ）について、前回（ｒ−１）の温水状態（Ｓｍ(ｒ−１)＝Ｓ５〜Ｓ８）に対応して、図７（ａ）乃至７（ｅ）の各フローに従って、今回の出口設定温度を定める。例えば図７（ａ）を参照して、前回の温水状態がＳ５である場合には（Ｓ５０２においてＹ）、Ｓ５０１０（図７（ｂ））に移行する（Ｓ５０３）。さらに図７（ｂ）を参照して、Ths≧Tt’−yか否かを判定する（Ｓ５０１１）。
【００３９】
Ths≧Tt’−yの場合には（Ｓ５０１１においてＹ）、出口設定温度（HT(ｒ)）をHT_k＝HTs_kに設定する（Ｓ５０１２）。これに伴い、次回温水状態Ｓｍ（ｒ）＝Ｓ５となる（Ｓ５０１３）。
Ths＜Tt’−yの場合には（Ｓ５０１１においてＮ）、出口設定温度（HT(ｒ)）をHT_k＝HTs_k＋αに設定する（Ｓ５０１５）。これに伴い、次回温水状態Ｓｍ（ｒ）＝Ｓ７となる（Ｓ５０１６）。
【００４０】
前回温水状態がＳ６乃至Ｓ８の場合も、Ｓ５の場合と同様に図７（ｃ）乃至７（ｅ）のフローに従い今回の出口設定温度を定める。
以上の結果を纏めると、前回温水状態（Sm(r-1)）、及び、今回の温水往ヘッダー温度（Ths(ｒ)）と目標温度（Tt'）からの乖離温度との大小関係に従い、出口設定温度（HT(ｒ)）は図８（ａ）のテーブルＢの通り示される。
【００４１】
このような制御により、各安定化熱源機の出口設定温度と温水往ヘッダー温度とは、時間的経過に伴い図８（ｂ）の太線の経路で制御され、目標とする温度範囲に維持されることになる。
以上の制御により、冷温水同時供給熱源機から製造される成り行き温度の温水を、他の温水熱源機により補完することができ、システム全体として温水供給温度の安定化が可能となる。
【産業上の利用可能性】
【００４２】
本発明は、地域熱供給、業務用・産業用空調・熱供給等、用途を問わず冷温水同時供給熱源機を供給源とする冷温水供給システムに広く適用可能である。
【符号の説明】
【００４３】
１・・・・・冷温水供給システム
１Ａ・・・・熱源機系統
１Ｂ・・・・負荷系統
１Ｃ・・・・供給系統
１Ｄ・・・・制御系統
２・・・・・冷温水同時供給熱源機
３・・・・・冷水熱源機
４・・・・・温水熱源機
５・・・・・往水側冷水ヘッダー
６・・・・・還水側冷水ヘッダー
７・・・・・往水側温水ヘッダー
８・・・・・還水側温水ヘッダー
９・・・・・需要家
１３，１４・・・・ヘッダー温度計
１５・・・・統合制御装置
Ｆｃ、Ｆｈ・・・・流量計
【図１】
2014185814.tif 000005
【図２】
2014185814.tif 000006
【図３】
2014185814.tif 000007
【図４（ａ）】
2014185814.tif 000008
【図４（ｂ）】
2014185814.tif 000009
【図４（ｃ）】
2014185814.tif 000010
【図４（ｄ）】
2014185814.tif 000011
【図４（ｅ）】
2014185814.tif 000012
【図５（ａ）】
2014185814.tif 000013
【図５（ｂ）】
2014185814.tif 000014
【図６】
2014185814.tif 000015
【図７（ａ）】
2014185814.tif 000016
【図７（ｂ）】
2014185814.tif 000017
【図７（ｃ）】
2014185814.tif 000018
【図７（ｄ）】
2014185814.tif 000019
【図７（ｅ）】
2014185814.tif 000020
【図８（ａ）】
2014185814.tif 000021
【図８（ｂ）】
2014185814.tif 000022